(57)【特許請求の範囲】
【請求項１】
ユニット建物における扉の施工方法であって、
工場で、前記ユニット建物を構成する建物ユニットに設けた壁又は扉枠の側面に、下方へスライド可能な状態となるようにピボット軸受金具を取り付け、前記ピボット軸受金具の受穴に、扉板の下側に設けたピボット軸を嵌め込んで、前記扉板を取り付ける工場での工程と、
現場で、前記ピボット軸受金具の下方の領域に床仕上材を敷設し、その後、前記ピボット軸受金具を下方へスライドさせて前記床仕上材の表面に密着させ、その状態で、前記ピボット軸受金具を本固定する現場での工程とから成ることを特徴とするユニット建物における扉の施工方法。
【請求項２】
前記工場での工程では、前記床仕上材の厚みよりも厚いスペーサー部材を前記ピボット軸受金具の下側に挿入してから、前記ピボット軸受金具を、前記建物ユニットの前記壁又は前記扉枠の側面に取り付けることを特徴とする請求項１に記載のユニット建物における扉の施工方法。
【請求項３】
前記ピボット軸受金具として、前記ピボット軸が嵌り込む前記受穴を有する水平部と、当該水平部の片側辺から略垂直に立ち上がり、上下方向に長い締結部材挿通用の長孔を有する立上部とから成るものを用い、前記立上部の前記長孔に締結部材を挿通することにより、前記工場での工程では、前記ピボット軸受金具を、前記建物ユニットの前記壁又は前記扉枠の側面に取り付け、前記現場での工程では、前記締結部材を緩め、前記ピボット軸受金具を下方へスライドさせて前記床仕上材の表面に密着させ、その状態で、前記締結部材を締め直し、前記ピボット軸受金具を本固定することを特徴とする請求項１又は２に記載のユニット建物における扉の施工方法。
【請求項４】
前記ピボット軸受金具として、前記水平部に締結部材挿通用の孔を有するものを用い、前記現場での工程で、前記水平部の前記孔に締結部材を挿通し、前記床仕上材の表面に固定することを特徴とする請求項３に記載のユニット建物における扉の施工方法。
【発明の詳細な説明】
【技術分野】
【０００１】
本発明は、ユニット建物における扉の施工方法、及びこの扉の施工方法に用いられるピボット軸受け金具に関するものである。
【背景技術】
【０００２】
従来から、床部に設けたピボット軸受金具に扉板の下側に設けたピボット軸を嵌め込んで、このピボット軸を中心として開閉可能な扉を建物に取り付けることはなされていた（例えば特許文献１等を参照）。
【先行技術文献】
【特許文献】
【０００３】
【特許文献１】特開２０１２−１２２２７８号公報
【発明の概要】
【発明が解決しようとする課題】
【０００４】
しかしながら、ユニット建物を構築する際に、特にユニット建物を構成する複数の建物ユニットにわたって床部を設けるときには、現場でこの床部を形成する床仕上材を敷設しなければならず、ピボット軸受金具の下面と干渉して上手く床仕上材を挿入することができないことが多々あるため、上記したような扉を工場で建物ユニットに予め取り付けておくことができなかった。
【０００５】
そのため、工場で建物ユニットの大部分を施工し、工期を短縮できるユニット建物の特長が、その分損なわれていた。
【０００６】
そこで、本発明は、扉を工場で建物ユニットに予め取り付けておくことができるユニット建物における扉の施工方法、及びこの扉の施工方法に用いられるピボット軸受け金具を提供することを目的としている。
【課題を解決するための手段】
【０００７】
前記目的を達成するために、本発明のユニット建物における扉の施工方法は、ユニット建物における扉の施工方法であって、工場で、前記ユニット建物を構成する建物ユニットに設けた壁又は扉枠の側面に、下方へスライド可能な状態となるようにピボット軸受金具を取り付け、前記ピボット軸受金具の受穴に、扉板の下側に設けたピボット軸を嵌め込んで、前記扉板を取り付ける工場での工程と、現場で、前記ピボット軸受金具の下方の領域に床仕上材を敷設し、その後、前記ピボット軸受金具を下方へスライドさせて前記床仕上材の表面に密着させ、その状態で、前記ピボット軸受金具を本固定する現場での工程とから成ることを特徴とする。
【０００８】
ここで、前記工場での工程では、前記床仕上材の厚みよりも厚いスペーサー部材を前記ピボット軸受金具の下側に挿入してから、前記ピボット軸受金具を、前記建物ユニットの前記壁又は前記扉枠の側面に取り付けるとよい。
【０００９】
また、前記ピボット軸受金具として、前記ピボット軸が嵌り込む前記受穴を有する水平部と、当該水平部の片側辺から略垂直に立ち上がり、上下方向に長い締結部材挿通用の長孔を有する立上部とから成るものを用い、前記立上部の前記長孔に締結部材を挿通することにより、前記工場での工程では、前記ピボット軸受金具を、前記建物ユニットの前記壁又は前記扉枠の側面に取り付け、前記現場での工程では、前記締結部材を緩め、前記ピボット軸受金具を下方へスライドさせて前記床仕上材の表面に密着させ、その状態で、前記締結部材を締め直し、前記ピボット軸受金具を本固定するとよい。
【００１０】
さらに、前記ピボット軸受金具として、前記水平部に締結部材挿通用の孔を有するものを用い、前記現場での工程で、前記水平部の前記孔に締結部材を挿通し、前記床仕上材の表面に固定するとよい。
【００１１】
本発明のピボット軸受金具は、扉を構成する扉板の下側に設けられたピボット軸が嵌り込むピボット軸受金具であって、前記ピボット軸が嵌り込む受穴を有する水平部と、当該水平部の片側辺から略垂直に立ち上がり、上下方向に長い締結部材挿通用の長孔を有する立上部とから成ることを特徴とする。
【００１２】
ここで、前記水平部に締結部材挿通用の孔を有するとよい。
【発明の効果】
【００１３】
このような本発明のユニット建物における扉の施工方法は、ユニット建物における扉の施工方法であって、工場で、ユニット建物を構成する建物ユニットに設けた壁又は扉枠の側面に、下方へスライド可能な状態となるようにピボット軸受金具を取り付け、ピボット軸受金具の受穴に、扉板の下側に設けたピボット軸を嵌め込んで、扉板を取り付ける工場での工程と、現場で、ピボット軸受金具の下方の領域に床仕上材を敷設し、その後、ピボット軸受金具を下方へスライドさせて床仕上材の表面に密着させ、その状態で、ピボット軸受金具を本固定する現場での工程とから成る構成とされている。
【００１４】
上記した構成なので、ピボット軸受金具を上方に仮止めした状態で、現場で床仕上材を敷設した後に、このピボット軸受金具を下方へスライドさせて床仕上材の表面に密着させて本固定すればよいため、ピボット軸受金具の下面に床仕上材を挿入できないという弊害はなく、扉を工場で建物ユニットに予め取り付けておくことができる。
【００１５】
ここで、工場での工程では、床仕上材の厚みよりも厚いスペーサー部材をピボット軸受金具の下側に挿入してから、ピボット軸受金具を、建物ユニットの壁又は扉枠の側面に取り付ける場合は、ピボット軸受金具を、現場で床仕上材を敷設するために必要な高さに容易に仮止めすることができる。
【００１６】
また、ピボット軸受金具として、ピボット軸が嵌り込む受穴を有する水平部と、水平部の片側辺から略垂直に立ち上がり、上下方向に長い締結部材挿通用の長孔を有する立上部とから成るものを用い、立上部の長孔に締結部材を挿通することにより、工場での工程では、ピボット軸受金具を、建物ユニットの壁又は扉枠の側面に取り付け、現場での工程では、締結部材を緩め、ピボット軸受金具を下方へスライドさせて床仕上材の表面に密着させ、その状態で、締結部材を締め直し、ピボット軸受金具を本固定する場合は、ピボット軸受金具の扱いは、工場での締結部材の仮締め、現場での締結部材の緩め、下方へスライド、締結部材の締め直しという簡易なもので済む。
【００１７】
さらに、ピボット軸受金具として、水平部に締結部材挿通用の孔を有するものを用い、現場での工程で、水平部の孔に締結部材を挿通し、床仕上材の表面に固定する場合は、ピボット軸受金具を締結部材で床仕上材の表面によりしっかりと固定することができる。
【００１８】
このような本発明のピボット軸受金具は、扉を構成する扉板の下側に設けられたピボット軸が嵌り込むピボット軸受金具であって、ピボット軸が嵌り込む受穴を有する水平部と、水平部の片側辺から略垂直に立ち上がり、上下方向に長い締結部材挿通用の長孔を有する立上部とから成る構成とされている。
【００１９】
上記した構成なので、扉を工場で建物ユニットに予め取り付けておくことができる上記した本発明のユニット建物における扉の施工方法を実施するに際し、その扱いは、工場での締結部材の仮締め、現場での締結部材の緩め、下方へスライド、締結部材の締め直しという簡易なもので済む。
【００２０】
ここで、水平部に締結部材挿通用の孔を有する場合は、この締結部材挿通用の孔に締結部材を挿通することで、ピボット軸受金具を締結部材で床仕上材の表面によりしっかりと固定することができる。
【図面の簡単な説明】
【００２１】
【図１】実施例のユニット建物における扉の施工方法を実施した際の完成した状態を示す図である。
【図２】実施例のユニット建物における扉の施工方法に用いられるピボット軸受金具の概略構成を示す斜視図である。
【図３】実施例のユニット建物における扉の施工方法の工場での工程１を示す図である。
【図４】実施例のユニット建物における扉の施工方法の工場での工程２を示す図である。
【図５】実施例のユニット建物における扉の施工方法の工場での工程３を示す図である。
【図６】実施例のユニット建物における扉の施工方法の現場での工程１を示す図である。
【図７】実施例のユニット建物における扉の施工方法の現場での工程２を示す図である。
【図８】実施例のユニット建物における扉の施工方法の現場での工程３を示す図である。
【発明を実施するための形態】
【００２２】
以下、本発明を実施するための形態を、図面に示す実施例に基づいて説明する。
【実施例】
【００２３】
先ず、実施例の構成について説明する。
【００２４】
図１は、実施例のユニット建物における扉の施工方法を実施した際の完成した状態を示している。
【００２５】
この実施例のユニット建物における扉の施工方法では、図２に示したピボット軸受金具１が用いられる。
【００２６】
このピボット軸受金具１は、水平部１１と、この水平部１１の片側辺から略垂直に立ち上がった立上部１２とから主に構成される。
【００２７】
ここで、水平部１１には、扉２を構成する扉板２１の下側に設けられたピボット軸２２が嵌り込む受穴１１ａと、締結部材としてのネジ５を挿通し、床仕上材３の表面に固定するための締結部材挿通用の孔１１ｂとを有する。
【００２８】
また、立上部１２には、扉枠２３の側面に締結部材としてのネジ４，４を挿通し固定するための上下方向に長い２つの締結部材挿通用の長孔１２ａ，１２ａを有している。
【００２９】
次に、この実施例のユニット建物における扉の施工方法について、図３〜図８を参照しながら説明する。
【００３０】
なお、図６〜図８では、見易いように、扉２を構成する扉板２１及びピボット軸２２の図示を省略した。
【００３１】
まず、工場で、図３に示したように、建物ユニットＵの床下地材３０の上に立設された壁６の内側面に、床仕上材３の厚みｈ分だけ下端部を上方に位置するように扉枠２３を設けておく。
【００３２】
そして、床下地材３０の上面に、床仕上材３の厚みｈよりも厚い合板等から成るスペーサー部材Ｓを載置し、扉枠２３の側面に横付けする。
【００３３】
さらに、スペーサー部材Ｓの上にピボット軸受金具１を載置し、扉枠２３の側面に設けておいた孔２３ａ，２３ａと立上部１２の長孔１２ａ，１２ａとを位置合わせしてから、締結部材としてのネジ４，４をねじ込んで固定すると、図４に示したようになる。
【００３４】
そして、この状態で、ピボット軸受金具１の水平部１１の締結部材挿通用の孔１１ｂへ締結部材としてのネジ５を挿通し、床下地材３０まで貫通するようにねじ込んで固定し、扉板２１の下側のピボット軸２２をピボット軸受金具１の受穴１１ａに嵌め込むと、図５に示したようになる。
【００３５】
この図５に示した状態では、扉２が、建物ユニットＵにしっかりと取り付けられているので、このまま、トラック等の通常の輸送手段で現場まで輸送することができる。
【００３６】
なお、扉２の扉板２１の上側は、開閉可能なように吊り支持されているが、図示は省略する。
【００３７】
続いて、ユニット建物を構築している現場において、建物ユニットＵを組立位置に設置した後、図６に示したように、ネジ５を抜き取り、ピボット軸受金具１の下側からスペーサー部材Ｓを外す。
【００３８】
そして、床下地材３０の上に、図７に示したように、床仕上材３を敷設する。
【００３９】
その後、ネジ４，４を緩め、ピボット軸受金具１を下方へスライドさせて、水平部１１の下面を床仕上材３の表面に密着させ、ネジ４，４を締め直すと、図８に示したようになる。
【００４０】
ここで、ピボット軸２２は、扉板２１との接合部に設けられたバネ等の付勢手段によって、下方へ付勢されており、所定のストローク長を持つ。ピボット軸受金具１を下方へスライドする長さは、このストローク長よりも短いものであり、ピボット軸受金具１を下方へスライドした分、ピボット軸２２が下方へ突出し、ピボット軸２２がピボット軸受金具１から外れることはない。
【００４１】
その状態で、ピボット軸受金具１の水平部１１の締結部材挿通用の孔１１ｂへネジ５を挿通し、床下地材３０まで貫通するようにねじ込んで固定すると、図１に示したように、この実施例のユニット建物における扉の施工方法が完了する。
【００４２】
次に、実施例の作用効果について説明する。
【００４３】
このような実施例のユニット建物における扉の施工方法は、ユニット建物における扉の施工方法であって、工場で、ユニット建物を構成する建物ユニットＵに設けた扉枠２３の側面に、下方へスライド可能な状態となるようにピボット軸受金具１を取り付け、ピボット軸受金具１の受穴１１ａに、扉板２１の下側に設けたピボット軸２２を嵌め込んで、扉板２１を取り付ける工場での工程と、現場で、ピボット軸受金具１の下方の領域に床仕上材３を敷設し、その後、ピボット軸受金具１を下方へスライドさせて床仕上材３の表面に密着させ、その状態で、ピボット軸受金具１を本固定する現場での工程とから成る構成とされている。
【００４４】
上記した構成なので、ピボット軸受金具１を上方に仮止めした状態で、現場で床仕上材３を敷設した後に、このピボット軸受金具１を下方へスライドさせて床仕上材３の表面に密着させて本固定すればよいため、ピボット軸受金具１の下面に床仕上材３を挿入できないという弊害はなく、扉２を工場で建物ユニットＵに予め取り付けておくことができる。
【００４５】
ここで、工場での工程では、床仕上材３の厚みｈよりも厚いスペーサー部材Ｓをピボット軸受金具１の下側に挿入してから、ピボット軸受金具１を、建物ユニットＵの扉枠２３の側面に取り付ける。
【００４６】
このため、ピボット軸受金具１を、現場で床仕上材３を敷設するために必要な高さに容易に仮止めすることができる。
【００４７】
また、ピボット軸受金具１として、ピボット軸２２が嵌り込む受穴１１ａを有する水平部１１と、水平部１１の片側辺から略垂直に立ち上がり、上下方向に長い締結部材挿通用の長孔１２ａ，１２ａを有する立上部１２とから成るものを用い、立上部１２の長孔１２ａ，１２ａに締結部材としてのネジ４，４を挿通することにより、工場での工程では、ピボット軸受金具１を、建物ユニットＵの扉枠２３の側面に取り付け、現場での工程では、ネジ４，４を緩め、ピボット軸受金具１を下方へスライドさせて床仕上材３の表面に密着させ、その状態で、ネジ４，４を締め直し、ピボット軸受金具１を本固定する。
【００４８】
このため、ピボット軸受金具１の扱いは、工場での締結部材としてのネジ４，４の仮締め、現場でのネジ４，４の緩め、下方へスライド、ネジ４，４の締め直しという簡易なもので済む。
【００４９】
さらに、ピボット軸受金具１として、水平部１１に締結部材挿通用の孔１１ｂを有するものを用い、現場での工程で、水平部１１の孔１１ｂに締結部材としてのネジ５を挿通し、床仕上材３の表面に固定する。
【００５０】
このため、ピボット軸受金具１を締結部材としてのネジ５で床仕上材３の表面によりしっかりと固定することができる。
【００５１】
このような実施例のピボット軸受金具１は、扉２を構成する扉板２１の下側に設けられたピボット軸２２が嵌り込むピボット軸受金具であって、ピボット軸２２が嵌り込む受穴１１ａを有する水平部１１と、水平部１１の片側辺から略垂直に立ち上がり、上下方向に長い締結部材挿通用の長孔１２ａ，１２ａを有する立上部１２とから成る構成とされている。
【００５２】
上記した構成なので、扉２を工場で建物ユニットに予め取り付けておくことができる上記した実施例のユニット建物における扉の施工方法を実施するに際し、その扱いは、工場での締結部材としてのネジ４，４の仮締め、現場でのネジ４，４の緩め、下方へスライド、ネジ４，４の締め直しという簡易なもので済む。
【００５３】
ここで、水平部１１に締結部材挿通用の孔１１ｂを有する。
【００５４】
このため、この締結部材挿通用の孔１１ｂに締結部材としてのネジ５を挿通することで、ピボット軸受金具１をネジ５で床仕上材３の表面によりしっかりと固定することができる。
【００５５】
以上、図面を参照して、本発明を実施するための形態を実施例に基づいて詳述してきたが、具体的な構成は、この実施例に限らず、本発明の要旨を逸脱しない程度の設計的変更は、本発明に含まれる。
【００５６】
例えば、上記した実施例では、ピボット軸受金具１を、扉枠２３に取り付けて実施したが、これに限定されず、例えば、壁６に直接取り付けて実施してもよい。
【符号の説明】
【００５７】
Ｕ      建物ユニット
１      ピボット軸受金具
１１    水平部
１１ａ  受穴
１１ｂ  締結部材挿通用の孔
１２    立上部
１２ａ  締結部材挿通用の長孔
２      扉
２１    扉板
２２    ピボット軸
２３    扉枠
２３ａ  孔
３      床仕上材
３０    床下地材
４      ネジ（締結部材）
５      ネジ（締結部材）
６      壁
Ｓ      スペーサー部材
【図１】
0006475537.tif 000002
【図２】
0006475537.tif 000003
【図３】
0006475537.tif 000004
【図４】
0006475537.tif 000005
【図５】
0006475537.tif 000006
【図６】
0006475537.tif 000007
【図７】
0006475537.tif 000008
【図８】
0006475537.tif 000009